(57)【要約】【課題】磁気記録再生装置に用いる、発光部と受光部からなる磁気テープの始端及び終端を検出するテープ位置検出機構において、発光素子とＦＰＣとの接合部の小型化を実現した磁気記録再生装置を提供することを目的とする。【解決手段】ＦＰＣと、ＦＰＣにその端子が接続される（注：半田付けのこと）電子素子と、電子素子を保持するホルダーとを備え、端子の長さ方向に対して、ＦＰＣの幅方向が略平行になるように、端子とホルダーとの間で、端子に対してＦＰＣを巻きつけることにより、発光素子とＦＰＣとの接合部を小型化した電子素子保持装置を備える磁気記録再生装置が得られる。【選択図】  図２
2004319014.tif 000002
【特許請求の範囲】
【請求項１】
ＦＰＣと、ＦＰＣにその端子が接続される（注：半田付けのこと）電子素子と、前記電子素子を保持するホルダーとを備え、前記端子の長さ方向に対して、前記ＦＰＣの幅方向が略平行になるように、前記端子と前記ホルダーとの間で、前記端子に対して前記ＦＰＣを巻きつけることを特徴とする磁気記録再生装置。
【請求項２】
テープカセット内からテープを引き出し、回転ヘッドを搭載する回転ヘッドシリンダに巻回し、前記テープを走行させる事により記録再生を行う磁気記録再生装置で、
ＦＰＣと、ＦＰＣにその端子が接続されるテープの始終端検知用の発光素子と、前記発光素子を保持するホルダーとを備え、前記端子の長さ方向に対して、前記ＦＰＣの幅方向が略平行になるように、前記端子と前記ホルダーとの間で、前記端子に対して前記ＦＰＣを巻きつけることを特徴とする磁気記録再生装置。
【請求項３】
テープカセット内からテープを引き出し、回転ヘッドを搭載する回転ヘッドシリンダに巻回し、前記テープを走行させる事により記録再生を行う磁気記録再生装置で、
ＦＰＣと、ＦＰＣにその端子が接続されるテープの始終端検知用の発光素子と、前記発光素子を保持する柱状のホルダーとを備え、前記ホルダーの柱状の軸方向に対して、前記ＦＰＣの幅方向が略平行になるように、前記端子と前記ホルダーとの間で、前記端子に対して前記ＦＰＣを巻きつけることを特徴とする磁気記録再生装置。
【発明の詳細な説明】
【０００１】
【発明の属する技術分野】
本発明は、電子素子を所定の場所に配置し、保持する、ＦＰＣとホルダーからなる電子素子保持装置に関するものである。
【０００２】
以下、請求項２に示す磁気記録再生装置を具体例として説明する。
【０００３】
【従来の技術】
近年、磁気記録再生装置の中でも特にビデオムービーは小型化の方向にあり、電子素子保持装置もさらに小型化が必要となってきている。
【０００４】
以下に、従来の電子素子保持装置の構成について説明する。
【０００５】
磁気記録再生装置には種々の電子素子が用いられている。磁気テープの位置検出機構は  その１例であり、光を発光する電子素子からなる発光部とその光を受光する電子素子からなる受光部から構成されている。以下、磁気テープの位置検出機構を例に説明する。
【０００６】
前記磁気テープの位置検出機構の構成を示す平面図を図４に示す。図４において、１はカセット。２はカセット内のリール。３は前記両リールに巻取られている磁気テープであり、巻き始め部と巻き終わり部にそれぞれその位置を示す透明部（図示せず）を有している。４はシャーシであり、前記カセット１を保持している。５は前記シャーシ４に設けられた発光部であり、６は前記シャーシ４の側面に設けられた受光部であり、前記発光部５の光を受光し、テープの最初の部分である始端及び終端位置を判別する。８は前記発光部５から発生する光の軌跡であり、前記受光部６の方向に向かって発光する。
【０００７】
以上のように構成された位置検出機構における発光部へ信号伝達する手段について図５を用いて詳細説明をする。
【０００８】
図５において、５ａは発光部を構成する赤外発光ダイオードで、ホルダー（図示せず）によりシャーシに固定されており、この素子が発光する。５ｂは赤外発光ダイオードの端子である。９は前記赤外発光ダイオード５ａ動作させる信号を伝達するＦＰＣである。前記ＦＰＣ９には半田付けランド９ａが設けられており、その中央近傍には端子穴（図示せず）が設けられている。この端子穴に前記赤外発光ダイオードの端子を入れ、前記半田付けランド９ａと半田付けを行うことにより、前記赤外発光ダイオード５ａはＦＰＣと電気的に接続され、前記ＦＰＣからの信号を授受可能な状態となる。同時に前記赤外発光ダイオード端子部は  前記ＦＰＣ９に対して固定される。１０は端子の半田付け部である。
【０００９】
さらに、前記ＦＰＣ９は前記半田付けランド部９ａと他の部品がショートしないように半田付けランドのまわりを囲むように折り返されて、ホルダー部の外側へ引出され、電気回路（図示せず）と接続される。
【００１０】
【特許文献１】
特開平１１−２５９９３１号公報
【００１１】
【発明が解決しようとする課題】
しかしながら上記の従来の構成では、赤外発光ダイオードの端子を、ＦＰＣに設けた半田付けランドに対して端子穴を設け、ＦＰＣの面に対して垂直方向に半田付けする為、半田付けランドの大きさが平面的に大きくなり、同時に半田付けランドと他の部品とをショートさせないためにおこなうＦＰＣの折り返しの空間が大きくなるという問題点を有していた。
【００１２】
本発明は上記従来の問題点を解決するもので、小型で構成できる電子素子保持装置を提供することを目的とする。
【００１３】
【課題を解決するための手段】
この目的を達成するために本発明の電子素子保持装置は、ＦＰＣと、ＦＰＣにその端子が接続される（注：半田付けのこと）電子素子と、前記電子素子を保持するホルダーとを備え、前記端子の長さ方向に対して、前記ＦＰＣの幅方向が略平行になるように、前記端子と前記ホルダーとの間で、前記端子に対して前記ＦＰＣを巻きつけることを特徴とする構成を有している。
【００１４】
この構成によって、小型で構成できる電子素子保持装置が得られる。
【００１５】
【発明の実施の形態】
本発明の請求項１に記載の発明は、ＦＰＣと、ＦＰＣにその端子が接続される（注：半田付けのこと）電子素子と、前記電子素子を保持するホルダーとを備え、前記端子の長さ方向に対して、前記ＦＰＣの幅方向が略平行になるように、前記端子と前記ホルダーとの間で、前記端子に対して前記ＦＰＣを巻きつけることにより、電子素子保持装置を小さくできるという作用を有する。
【００１６】
請求項２に記載の発明は、テープカセット内からテープを引き出し、回転ヘッドを搭載する回転ヘッドシリンダに巻回し、前記テープを走行させる事により記録再生を行う磁気記録再生装置において、ＦＰＣと、ＦＰＣにその端子が接続されるテープの始終端検知用の発光素子と、前記発光素子を保持するホルダーとを備え、前記端子の長さ方向に対して、前記ＦＰＣの幅方向が略平行になるように、前記端子と前記ホルダーとの間で、前記端子に対して前記ＦＰＣを巻きつけることにより、電子素子保持装置を小さくできるという作用を有する。
【００１７】
請求項３に記載の発明は、テープカセット内からテープを引き出し、回転ヘッドを搭載する回転ヘッドシリンダに巻回し、前記テープを走行させる事により記録再生を行う磁気記録再生装置で、ＦＰＣと、ＦＰＣにその端子が接続されるテープの始終端検知用の発光素子と、前記発光素子を保持する柱状のホルダーとを備え、前記ホルダーの柱状の軸方向に対して、前記ＦＰＣの幅方向が略平行になるように、前記端子と前記ホルダーとの間で、前記端子に対して前記ＦＰＣを巻きつけることにより、電子素子保持装置を小さくできるという作用を有する。
【００１８】
以下、本発明の実施の形態について、図１から図３を用いて説明する。
【００１９】
（実施の形態１）
前記磁気テープの位置検出機構の構成を示す平面図を図１に示す。図１において、１はカセット。２はカセット内のリール。３は前記両リールに巻取られている磁気テープであり、巻き始め部と巻き終わり部にそれぞれその位置を示す透明部（図示せず）を有している。４はシャーシであり、前記カセット１を保持している。５は前記シャーシ４に設けられた発光部であり、６は前記シャーシ４の側面に設けられた受光部であり、前記発光部５の光を受光し、テープの最初の部分である始端及び終端位置を判別する。８は前記発光部５から発生する光の軌跡であり、前記受光部６の方向に向かって発光する。
【００２０】
以上のように構成された位置検出機構における発光部へ信号伝達する手段について図２を用いて詳細説明をする。
【００２１】
図２において、５ａは発光部を構成する赤外発光ダイオードで、ホルダー（図示せず）によりシャーシに固定されており、この素子が発光する。５ｂは赤外発光ダイオードの端子である。９は前記赤外発光ダイオード５ａ動作させる信号を伝達するＦＰＣであり、前記端子５ｂに対して前記ＦＰＣの幅方向が略平行になるように配置されている。前記ＦＰＣ９には半田付けランド９ａが設けられており、前記赤外発光ダイオードの端子と半田付けを行うことにより、前記赤外発光ダイオード５ａはＦＰＣと電気的に接続され、前記ＦＰＣからの信号を授受可能な状態となる。同時に前記赤外発光ダイオード端子部５ｂは  前記ＦＰＣ９に対して固定される。１０は端子の半田付け部である。
【００２２】
さらに、前記ＦＰＣ９は前記半田付けランド部９ａと他の部品がショートしないように半田付けランドのまわりを囲むように折り返されて、ホルダー部の外側へ引出され、電気回路Ｐ板（図示せず）と接続される。
【００２３】
このとき、前記ＦＰＣ９の半田付けランド９ａは端子５ｂと平行に配置され、かつ、穴も空いていない為、半田付けランド９ａと端子５ｂをＦＰＣ９で巻込む時に、端子部５ｂに密着させて巻く事が可能となり、ＦＰＣと電子素子との接合部の小型化が可能となる。
【００２４】
続けて、本実施形態の電子素子保持装置の効果について図３を用いて説明する。
【００２５】
先ず、図３−ａは  従来の電子素子保持装置における発光部のＦＰＣ部の寸法を示す図であり、図３−ｂは本実施形態における発光部のＦＰＣ部の寸法を示す図である。各図を構成する部品は図２と同じである。
【００２６】
先ず、ｈは  ＦＰＣが必用とする高さで、ｈ１：従来における発光部のＦＰＣ部の高さ、ｈ２：本実施形態における発光部のＦＰＣ部の高さ、とすると、高さ方向の寸法は端子の長さで決まる為、従来と本実施例の間に差は無く、
ｈ１＝ｈ２
となる。
【００２７】
次に、ｔは  ＦＰＣが必用とする厚みで、ｔ１：従来における発光部のＦＰＣ部の厚み、ｔ２：本実施形態における発光部のＦＰＣ部の厚み、とすると、従来の構成では、赤外発光ダイオードの端子を、ＦＰＣに設けた半田付けランドに対して端子穴を設け、ＦＰＣの面に対して垂直方向に半田付けする為、半田付けランドの大きさが平面的に大きくなるのに対して、本実施形態では  半田付けランドに対して端子が平行に配置されている為、半田付けランドと端子をＦＰＣで巻込む時に、端子部５に密着させて巻く事が可能であるため、
ｔ１＞ｔ２
となる。
【００２８】
次に、ｗはＦＰＣが必用とする幅で、ｗ１：従来における発光部のＦＰＣ部の幅、ｗ２：本実施形態における発光部のＦＰＣ部の幅、とすると、従来の構成では、赤外発光ダイオードの端子を、ＦＰＣに設けた半田付けランドに対して端子穴を設け、ＦＰＣの面に対して垂直方向に半田付けする為、半田付けランドの大きさが平面的に大きくなるのに対して、本実施形態では  半田付けランドに対して端子が平行に配置されている為、半田付けランドと端子をＦＰＣで巻込む時に、端子部５に密着させて巻く事が可能であるため、
ｗ１＞ｗ２
となり、従来に対して小型化されたＦＰＣと電子素子との接合部が実現でき、小型化した電子素子保持装置を提供することが可能となる。
【００２９】
【発明の効果】
以上のように本実施例によればＦＰＣと、ＦＰＣにその端子が接続される（注：半田付けのこと）電子素子と、電子素子を保持するホルダーとを備え、端子の長さ方向に対して、ＦＰＣの幅方向が略平行になるように、端子とホルダーとの間で、端子に対してＦＰＣを巻きつけることにより、電子素子保持装置を小さくできるという優れた効果が得られる。
【図面の簡単な説明】
【図１】本発明の実施の形態における磁気記録再生装置の平面図
【図２】本発明の実施の形態における発光部の構成詳細を示す三面図
【図３】本発明の実施の形態と従来における発光部の寸法比較図
【図４】従来の磁気記録再生装置の平面図
【図５】従来の磁気記録再生装置の発光部の構成詳細を示す三面図
【符号の説明】
１  カセット
２  リール
３  磁気テープ
４  シャーシ
５  発光部
６  受光部
８  光路
９  ＦＰＣ
１０  半田付け部
【図１】
2004319014.tif 000003
【図２】
2004319014.tif 000004
【図３】
2004319014.tif 000005
【図４】
2004319014.tif 000006
【図５】
2004319014.tif 000007